(57)【要約】      （修正有）【課題】容器体の口頸部に装着したディスペンサーの吐出ヘッドを上下動させることにより、容器体内収納液を噴出口より噴出する如く構成した液体噴出器であって、液噴出のロック状態及びロック解除状態の切り換えを極めて容易に行えるようにする。【解決手段】ディスペンサーＢを囲繞して容器体Ａ上に嵌着した筒状をなすとともに、前後上端部に一対の凹み窓２３を備え、且つ左右頂部に一対の係止面２４ｂ を備えた肩カバーＣを設け、噴出口１２が横を向く状態で各係止面 に係止され、噴出口が前を向く状態で各係止面 から外れる鍔部１３を噴出ヘッドに突設した。【選択図】図１
2008247448.tif 000002
【特許請求の範囲】
【請求項１】
胴部２より肩部３を介して口頸部４を起立した容器体Ａと、容器体Ａの口頸部４に装着するとともに、上端に上方付勢状態で押し下げ可能に噴出ヘッド11を突設し、噴出ヘッド11の上下動により容器体Ａ内収納液を噴出ヘッド11の噴出口12より噴出する如く構成したディスペンサーＢとを備えた液体噴出器であって、容器体Ａ上方に露出するディスペンサー部分を囲繞して容器体Ａに嵌着した筒状をなすとともに、前後上端部に一対の凹み窓23を備え、且つ、左右頂部に一対の係止面24b を備えた肩カバーＣを設け、噴出口12が横を向く状態で各係止面24b に係止され、噴出口12が前を向く状態で各係止面24b から外れる鍔部13を噴出ヘッド11に突設したことを特徴とする液体噴出器。
【請求項２】
噴出口12が横を向く噴出ヘッド11の押し下げロック状態で互いに離脱可能に係合する凹凸係合手段を、噴出ヘッド11と肩カバーＣとの間に設けてなる請求項１記載の液体噴出器。
【請求項３】
噴出ヘッド11をロック状態から噴出口12が前を向く噴出可能状態へ回動させた際に、噴出口12が前方を向く所定位置に噴出ヘッド11を係止する係止手段を噴出ヘッド11と肩カバーＣとの間に設けてなる請求項１記載の液体噴出器。
【請求項４】
肩カバーＣにストラップ用の取り付け孔28を穿設してなる請求項１乃至請求項３のいずれかに記載の液体噴出器。
【請求項５】
肩カバーＣの両側頂部を噴出ヘッド11の頂面と同一平面上に形成するとともに、肩カバーＣの両側頂部に鍔部13両側がそれぞれ回動可能に係合する凹部24を横設し、凹部24の下面を係止面24b とした請求項１乃至請求項４のいずれかに記載の液体噴出器。
【発明の詳細な説明】
【技術分野】
【０００１】
本発明は液体噴出器に関する。
【背景技術】
【０００２】
液体噴出器として、容器の開口部にポンプディスペンサーを取り付け、容器内部の液体内容物を吐出或いは噴霧する如く構成したものが種々提案されている。（例えば、特許文献１参照）
【０００３】
上記液体噴出器は、シリンダ状のポンプ本体と、ポンプ本体内に往復動自在に挿入されるピストンと、ピストンから上方に延びるステムと、ポンプ本体の上端部を閉塞しかつステムが往復移動自在に挿通されるガイド穴を有するアッパーキャップと、ステム上端に接続され、吐出ノズルが連通するエジェクタヘッドと、ポンプ本体を容器に装着し保持するコンテナキャップとを備え、エジェクタヘッドを上下動させることによりポンプ機構の作用で装着した容器体内の液を噴出する如く構成したものである。
【特許文献１】特開２００１−２４７１４６号公報
【発明の開示】
【発明が解決しようとする課題】
【０００４】
上記した従来の液体噴出器は、不用意にエジェクタヘッドを押し下げての無用な液の噴出を防止するために、不使用時にはエジェクタヘッドを押し下げてアッパーキャップに螺着係止させる如く構成している。この様に構成することにより、不使用時等にはエジェクタヘッドの作動を防止できて上記不都合を確実に防止できる。しかしながら、ロック状態にするために使用後エジェクタヘットを螺着させなければならず、また、使用に当たっては螺脱しなければならないという操作上の面倒が伴っている。
【０００５】
本発明は上記した点に鑑みてなされたもので、液噴出のロック状態を現出できて不使用時に不用意に噴出ヘッドを押し下げることを防止でき、また、液噴出のロック状態，ロック解除状態の切り換えを極めて簡単に行えるとともに、その操作も容易である液体噴出器を提案する。
【課題を解決するための手段】
【０００６】
本発明の液体噴出器は、容器体と、ディスペンサーと、肩カバーとを備えている。
【０００７】
容器体は合成樹脂等により形成されたもので、筒状の胴部上端より肩部を介して口頸部を起立したボトル形態のものが使用される。胴部の形状は円筒状，楕円筒状等種々の筒状を採用できるが、肩カバーの外形状とあわせた外形状を選択すると外観上も取り扱い上も好ましい。
【０００８】
ディスペンサーは、容器体の口頸部に装着して上端に噴出ヘッドを上方付勢状態で押し下げ可能に突出し、噴出ヘッドの上下動により容器体内の液を吸い上げて噴出ヘッドの噴出口より噴出する如く構成したものであり、その液噴出機構は従来公知の機構を種々選択できる。例えば、蓄圧式のポンプ形態のものであっても、エアゾール容器であっても、通常のポンプタイプのものであっても良い。本発明では、噴出ヘッドの外周上部にロック機構を構成する鍔部を突設している。
【０００９】
肩カバーは、ディスペンサーの容器体上方へ突出する部分周囲を囲繞して容器体肩部上に装着した筒状をなし、前後に一対の凹み窓を備え、左右に一対の係止面を備えている。凹み窓は、肩カバーの前部上端より下方へ所定幅，所定深さを持つ開口形態をなし、噴出ヘッドの押し下げを可能にすべく設けたものであり、また、前部の凹み窓は噴出口を臨ませて液の噴出を可能とする機能も備えている。
【００１０】
係止面は噴出ヘッドの鍔部とでロック機構を構成するものであり、噴出ヘッドの噴出口が側方を向く状態で鍔部を係止して噴出ヘッドの押し下げができないロック状態に、また、噴出口が前方を向く状態で鍔部の係止が解除され噴出ヘッドの押し下げが可能なロック解除状態となる如く構成している。
【００１１】
係止面は肩カバーの両側頂部に設けるが、その部分に鍔部の回動が可能な凹部を形成してその下面を係止面とすれば、噴出ヘッドの頂面と肩カバーの頂面とを略同一平面上に形成でき、流通時等の積み重ねが可能となる。
【００１２】
また、鍔部が係止面上方の所定位置に存在するロック状態に於いて噴出ヘッドの回動を防止する係合手段を設けるとよく、その場合、突部と凹部との係合で代表される凹凸係合手段を採用すれば、係合時或いは係合解除時にクリック感を得られるため好ましい。
【００１３】
第１の手段として、以下の通り構成した。即ち、胴部２より肩部３を介して口頸部４を起立した容器体Ａと、容器体Ａの口頸部４に装着するとともに、上端に上方付勢状態で押し下げ可能に噴出ヘッド11を突設し、噴出ヘッド11の上下動により容器体Ａ内収納液を噴出ヘッド11の噴出口12より噴出する如く構成したディスペンサーＢとを備えた液体噴出器であって、容器体Ａ上方に露出するディスペンサー部分を囲繞して容器体Ａに嵌着した筒状をなすとともに、前後上端部に一対の凹み窓23を備え、且つ、左右頂部に一対の係止面24b を備えた肩カバーＣを設け、噴出口12が横を向く状態で各係止面24b に係止され、噴出口12が前を向く状態で各係止面24b から外れる鍔部13を噴出ヘッド11に突設した。
【００１４】
第２の手段として、以下の通り構成した。即ち、前記第１の手段に於いて、噴出口12が横を向く噴出ヘッド11の押し下げロック状態で互いに離脱可能に係合する凹凸係合手段を、噴出ヘッド11と肩カバーＣとの間に設けた。
【００１５】
第３の手段として、以下の通り構成した。即ち、前記第１の手段に於いて、噴出ヘッド11をロック状態から噴出口12が前を向く噴出可能状態へ回動させた際に、噴出口12が前方を向く所定位置に噴出ヘッド11を係止する係止手段を噴出ヘッド11と肩カバーＣとの間に設けた。
【００１６】
第４の手段として、以下の通り構成した。即ち、前記第１の手段乃至第３の手段のいずれかの手段に於いて、肩カバーＣにストラップ用の取り付け孔28を穿設した。
【００１７】
第５の手段として、以下の通り構成した。即ち、前記第１の手段乃至第４の手段のいずれかの手段に於いて、肩カバーＣの両側頂部を噴出ヘッド11の頂面と同一平面上に形成するとともに、肩カバーＣの両側頂部に鍔部13両側がそれぞれ回動可能に係合する凹部24を横設し、凹部24の下面を係止面24b とした。
【発明の効果】
【００１８】
本発明の液体噴出器は、噴出ヘッド11の押し下げを防止して液の噴出ができないロック状態と、噴出ヘッド11の押し下げが可能で液の噴出が可能なロック解除状態とを、極めて簡単な操作により切り換えが可能であり、不使用時にはロック状態にしておけば不用意に噴出ヘッド11を押し下げる等の不都合を確実に防止できる。
【００１９】
また、噴出口12が横を向く噴出ヘッド11の押し下げロック状態で互いに離脱可能に係合する凹凸係合手段を、噴出ヘッド11と肩カバーＣとの間に設けた場合には、ロック状態の噴出ヘッド11が振動等の外力により回動してしまう等の不都合を防止できる。また、係合或いは係合解除の際にクリック感を得られる利点もある。
【００２０】
噴出ヘッド11をロック状態から噴出口12が前を向く噴出可能状態へ回動させた際に、噴出口12が前方を向く所定位置に噴出ヘッド11を係止する係止手段を噴出ヘッド11と肩カバーＣとの間に設けた場合には、噴出口12を正確な正面位置に容易に回動できる利点がある。
【００２１】
肩カバーＣにストラップ用の取り付け孔28を穿設した場合には、必要に応じて吊り下げ紐を挿通して装着すれば噴出器を簡単に吊り下げることができる。
【００２２】
肩カバーＣの両側頂部を噴出ヘッド11の頂面と同一平面上に形成するとともに、肩カバーＣの両側頂部に鍔部13両側がそれぞれ回動可能に係合する凹部24を横設し、凹部24の下面を係止面24b とした場合には、流通，保管時に積み重ねての取り扱いが可能となる。
【発明を実施するための最良の形態】
【００２３】
以下、本発明の実施例の形態を図面を参照して説明する。
【００２４】
図１乃至図７は本発明液体噴出器の一例を示し、図中１は液体噴出器を示す。該液体噴出器１は、容器体Ａと、ディスペンサーＢと、肩カバーＣとを備えている。
【００２５】
容器体Ａは合成樹脂製で、筒状の胴部２の上端より肩部３を介して口頸部４を起立して構成している。口頸部４の外周下部には肩カバーＣを係止するための係止突条５を突周設している。係止突条５の前部には廻り止め用の凹溝６を凹設している。                      
【００２６】
ディスペンサーＢは、口頸部４外周に装着キャップ10を嵌合させて容器体Ａに装着したもので、装着キャップ10の上端開口より上方に、上方付勢状態で押し下げ可能に噴出ヘッド11を突出させている。また、内部には公知の液体噴出機構を備え、噴出ヘッド11を上下動させることにより噴出ヘッド11の噴出口12より容器体Ａ内の液を噴出する如く構成している。
【００２７】
噴出ヘッド11は外周上端部に鍔部13を突設している。鍔部13は横長四角形状で、四隅を円弧状に丸めている。また、外周所定位置には係止手段を構成する一対の係合板部14を突設している。更に、鍔部13下面所定位置には凹凸係合手段を構成する係合突部15を突設している。
【００２８】
肩カバーＣは合成樹脂製で、円筒状の内周壁20と、楕円筒状の外周壁21とを、水平壁や傾斜壁等の複合壁で構成されている頂壁22により連結している。内周壁20と外周壁21とは、前後の左右方向中央部に於いて一部を共有する如き二重筒状に形成された筒状形態であり、全体として前部及び後部にそれぞれ凹み窓23を備えており、また、両側に鍔部13が回動可能な凹部24を一対設けている。各凹部24は頂壁22の両側をそれぞれ構成する水平壁部分に設けたもので、肩カバーＣの中心を中心とした曲率半径をもつ円弧状の側面24a と、該側面24a に区画された水平な係止面24b とで構成している。左方の係止面24b の所定位置には一対の突条25を突設してその間に係合凹部26を形成しており、該係合凹部26と噴出ヘッド11の係合突部15とで凹凸係合手段を構成する。また、内周壁20の所定位置には一対の係止板部27を突設して噴出ヘッド11の各係合板部14とで係止手段を構成している。そして、内周壁20の下端部に突設した係合突条29を口頸部４の係止突条５に乗り越え係合して容器体Ａ上方に突出しているディスペンサーＢの突出部分周囲に起立させている。その際、内周壁20の前部下部に突設した突起30を上記凹溝６に嵌合させて容器体Ａに対して肩カバーＣが回動しない様に構成している。尚、肩カバーＣの外周壁21上部には前後一対のストラップ用の取り付け孔28を設けている。
【００２９】
図１乃至図４は噴出ヘッド11の押し下げを防止するロック状態を示し、この場合噴出口12は右側方に向き、両側の鍔部13下面が各係止面24b に当接して噴出ヘッド11の押し下げができない様になっている。また、係合突部15が係合凹部26内に乗り越え係合しており、振動等の弱い外力で噴出ヘッド11が回動するのを防止している。
【００３０】
図５乃至図７はロック解除状態を示し、液の噴出を行う場合にはロック状態からこのロック解除状態に噴出ヘッド11を回動させる。図１の状態から例えば鍔部13の前後を掴んで噴出ヘッド11を回動させれば、最初係合突部15が係合凹部26から外れる際にクリック感を得られ、また、噴出口12が前方を向く位置で各係合板部14が各係止板部27に当接して所定の位置であることが判る。その際、鍔部13は噴出口12両側の幅狭部分が両側に位置していて各係止面24b 部分から鍔部13が外れ、噴出ヘッド11の押し下げが可能な状態となっている。そこで噴出ヘッド11を押し下げると液噴出機構の作用で噴出口12より液が噴出する。使用後は再び噴出ヘッド11を回動させて元のロック状態とすれば良い。
【００３１】
図８は他の例を示し、ストラップ用の取り付け孔28として、中央部に柱31を縦設したものを採用している。この柱31に紐等を巻き回して装着することができる。この場合には一つの取り付け孔28で用が足りる。その他の構成は図１の例と同様であるため、同符号を付して説明を省略する。
【図面の簡単な説明】
【００３２】
【図１】本発明液体噴出器のロック状態の一部切欠正面図である。（実施例１）
【図２】本発明液体噴出器のロック状態の一部切欠側面図である。（実施例１）
【図３】本発明液体噴出器のロック状態の平面図である。（実施例１）
【図４】本発明液体噴出器のロック状態の正面図である。（実施例１）
【図５】本発明液体噴出器のロック解除状態の一部切欠正面図である。（実施例１）
【図６】本発明液体噴出器のロック解除状態の平面図である。（実施例１）
【図７】本発明液体噴出器のロック解除状態の正面図である。（実施例１）
【図８】本発明液体噴出器のロック状態の正面図である。（実施例２）
【符号の説明】
【００３３】
１…液体噴出器
Ａ…容器体
２…胴部，３…肩部，４…口頸部，５…係止突条，６…凹溝
Ｂ…ディスペンサー
10…装着キャップ，11…噴出ヘッド，12…噴出口，13…鍔部，14…係合板部，
15…係合突部
Ｃ…肩カバー
20…内周壁，21…外周壁，22…頂壁，23…凹み窓，24…凹部，24a …側面，
24b …係止面，25…突条，26…係合凹部，27…係止板部，28…取り付け孔，
29…係合突条，30…突起，31…柱
【図１】
2008247448.tif 000003
【図２】
2008247448.tif 000004
【図３】
2008247448.tif 000005
【図４】
2008247448.tif 000006
【図５】
2008247448.tif 000007
【図６】
2008247448.tif 000008
【図７】
2008247448.tif 000009
【図８】
2008247448.tif 000010